(57)【要約】【課題】転写作業をスムーズに行うことができる塗膜転写具を提供する。【解決手段】  塗膜転写具１０は、ケース５と、未使用の転写テープＴが巻装される供給ボビン３１と、使用済みの転写テープＴが巻装される巻取ボビン３２と、供給ボビン３１と巻取ボビン３２とをクラッチ部３７を介して回転連結する回転連結機構３０と、転写テープＴの転写層を被転写面に転写するヘッド部２０と、を備えてケース５に前後動可能に収納される転写ユニット１００と、転写ユニット１００を前方に付勢する付勢部材４１ｇ１，４１ｇ２と、ケース５に固定される係止部５２ｂと、を有し、係止部５２ｂは、転写ユニット１００の後退により供給ボビン３１に形成される被係止部３１ｂとの係止が解除される。【選択図】  図２
2020062849.tif 000002
【特許請求の範囲】
【請求項１】
ケースと、
未使用の転写テープが巻装される供給ボビンと、使用済みの前記転写テープが巻装される巻取ボビンと、前記供給ボビンと前記巻取ボビンとをクラッチ部を介して回転連結する回転連結機構と、前記転写テープの転写層を被転写面に転写するヘッド部と、を備えて前記ケースに前後動可能に収納される転写ユニットと、
前記転写ユニットを前方に付勢する付勢部材と、
前記ケースに固定される係止部と、
を有し、
前記係止部は、前記転写ユニットの後退により前記供給ボビンに形成される被係止部との係止が解除されることを特徴とする塗膜転写具。
【請求項２】
前記係止部はラチェット爪であり、前記被係止部は前記供給ボビンの外周に形成されるラチェット歯であることを特徴とする請求項１に記載の塗膜転写具。
【請求項３】
前記付勢部材は、前記転写ユニットから突出して前記ケースに形成される係合部と係合する板バネであることを特徴とする請求項１又は請求項２に記載の塗膜転写具。
【請求項４】
前記係合部は、前記板バネの端部と当接するよう段状に形成される係合段部と、該係合段部と接続して前記板バネの端部が前記係合段部から乗り上げ可能に形成される傾斜部と、を有することを特徴とする請求項３に記載の塗膜転写具。
【請求項５】
前記転写ユニットは、２枚の板状部材により前記供給ボビン、前記巻取ボビン及び前記回転連結機構を左右両側から支持する転写ユニット本体を有することを特徴とする請求項１乃至請求項４の何れか記載の塗膜転写具。
【発明の詳細な説明】
【技術分野】
【０００１】
本発明は、転写テープの転写層を被転写面に転写する塗膜転写具に関する。
【背景技術】
【０００２】
従来から、使用していない間は供給ボビンが回転しないようにロックして、使用時には供給ボビンのロックを解除することができる塗膜転写具が開示されている。特許文献１に開示される塗膜転写具は、支軸により回動可能な長尺状のベース部材がケース内に設けられる。該ベース部材の先端にはヘッド部が設けられ、後端側には供給ボビンの被係止歯と係止可能な係止爪が形成される。被係止歯は、供給ボビンに形成される内歯車であり、係止爪はベース部材から該内歯車に向けて突出する突起である。
【０００３】
ベース部材は、支軸周りに巻回されるねじりコイルばねにより、塗膜転写具を使用していないときは係止爪と被係止歯が係止する方向に付勢されて供給ボビンの回転がロックされる。ヘッド部が被転写面に押し当てられたとき（すなわち使用時）には、ベース部材がねじりコイルばねの付勢力に抗して回動して、係止爪と被係止歯との係止が外れて供給ボビンの回転ロックが解除される。
【先行技術文献】
【特許文献】
【０００４】
【特許文献１】特開２０１６−１２４１３１号公報
【発明の概要】
【発明が解決しようとする課題】
【０００５】
転写作業時におけるヘッド部の被転写面への押し付けは、ヘラ状のヘッド部のヘラ面を押し付けるかのごとく行われる場合もあるが、ローラ状又はヘラ状の場合もあるヘッド部の先端部を強く被転写面に押圧したい場合もある。例えば、摩擦係数の小さい（滑り易い）被転写面に、比較的強い粘着力のテープ糊の転写層を転写する場合には、塗膜転写具のヘッド部の先端を被転写面に対して押すようにしなければ転写できない場合がある。この場合、特許文献１に開示される塗膜転写具では、ベース部材が回動する半径方向にヘッド部からの押圧力が加えられるので、支軸でこの押圧力を受けることとなり、塗膜転写具の使用中にベース部材が供給ボビンのロックを解除する方向に回動せず、転写作業が中断されてしまうこともある。
【０００６】
本発明の目的は、転写作業をスムーズに行うことができる塗膜転写具を提供する。
【課題を解決するための手段】
【０００７】
本発明の塗膜転写具は、ケースと、未使用の転写テープが巻装される供給ボビンと、使用済みの前記転写テープが巻装される巻取ボビンと、前記供給ボビンと前記巻取ボビンとをクラッチ部を介して回転連結する回転連結機構と、前記転写テープの転写層を被転写面に転写するヘッド部と、を備えて前記ケースに前後動可能に収納される転写ユニットと、前記転写ユニットを前方に付勢する付勢部材と、前記ケースに固定される係止部と、を有し、前記係止部は、前記転写ユニットの後退により前記供給ボビンに形成される被係止部との係止が解除されることを特徴とする。
【発明の効果】
【０００８】
本発明によれば、転写作業が中断されることが低減されて、スムーズに転写作業を行うことができる塗膜転写具を提供することができる。
【図面の簡単な説明】
【０００９】
【図１】本発明の実施形態に係る塗膜転写具を示す斜視図であり、（ａ）はキャップを閉じた状態を示し、（ｂ）はキャップを開いてヘッド部の転写ローラを露出した状態を示す。
【図２】本発明の実施形態に係る塗膜転写具を左側方から見た分解斜視図である。
【図３】本発明の実施形態に係る塗膜転写具を右側方から見た分解斜視図である。
【図４】本発明の実施形態に係る塗膜転写具の転写ユニットを示す斜視図である。
【図５】本発明の実施形態に係る塗膜転写具の左フレームと左ケース及びキャップの状態を示す側面図であり、（ａ）は使用していない状態（ヘッド部が被転写面に当接して押圧されない状態）を示し、（ｂ）は使用状態（ヘッド部が被転写面に当接して押圧力を受けている状態）を示す。
【図６】本発明の実施形態に係る塗膜転写具の右フレームと右ケース、供給リール及びキャップの状態を示す側面図であり、（ａ）は使用していない状態（ヘッド部が被転写面に当接して押圧されない状態）を示し、（ｂ）は使用状態（ヘッド部が被転写面に当接して押圧力を受けている状態）を示す。
【発明を実施するための形態】
【００１０】
次に、図に基づいて、本発明の実施形態を説明する。図１（ａ），（ｂ）に示す塗膜転写具１０は、略卵型のケース５の先端からヘッド部２０が突出している。なお、以下の説明においては、ヘッド部２０が備えられる側を前とし、その反対側を後とする。また、塗膜転写具１０を後方から前方に向かって見たときの左側を左、右側を右、図１（ａ），（ｂ）における上側を上、下側を下として説明する。
【００１１】
ヘッド部２０の下方のケース５には、ヒンジ部６ａにより回動自在とされるキャップ６が設けられる。キャップ６は、塗膜転写具１０を使用しないときには、キャップ６を閉じた状態を示す図１（ａ）のように、ヘッド部２０の下方を覆うように位置させる。塗膜転写具１０の使用時には、キャップ６は、図１（ａ）の位置から後方に回動させて、キャップ６を開いた状態を示す図１（ｂ）のようにヘッド部２０を露出させる。なお、キャップ６は、キャップ６を閉じた状態（図１（ａ）の状態）及びキャップ６を開いた状態（図１（ｂ）の状態）においてヒンジ部６ａの回動を固定しておくことができる。
【００１２】
ヘッド部２０は、転写ローラ２１を介して転写テープＴの転写層を被転写面に転写する。ここで、転写テープＴは、本実施形態ではテープ糊とされる。
【００１３】
次に、塗膜転写具１０の内部構造を説明する。図２，図３に塗膜転写具１０及び転写ユニット１００の分解斜視図を示す。ここで、転写ユニット１００は、図４に示すように、ヘッド部２０や供給ボビン３１、巻取ボビン３２、回転連結機構３０等を備えて、後述するが、ケース５に前後動可能に収納される。
【００１４】
詳細には、図２、図３に示すように、転写ユニット１００は、２枚の略板状の部材とされる左フレーム４１、右フレーム４２により形成される転写ユニット本体４０を備える。図２に示すように、右フレーム４２の内側面（左側面）には、先窄まり状の先端から順に、円柱状に形成される軸として、接合軸４２ａ、巻取ボビン支持軸４２ｂ、中間ギヤ支持軸４２ｃ、供給ボビン支持軸４２ｄが立設する。巻取ボビン支持軸４２ｂ、中間ギヤ支持軸４２ｃ、供給ボビン支持軸４２ｄの周囲は、略円形に膨出して支持対象である巻取ボビン３２や中間ギヤ３４、供給ボビン３１を受けている。
【００１５】
図３に示すように、左フレーム４１は、先端部は先窄まり状とされ、後端は円弧状とされて、上下の縁部は平行な直線状に形成される。図２で示した右フレーム４２における接合軸４２ａ、巻取ボビン支持軸４２ｂ、供給ボビン支持軸４２ｄの各軸は、右フレーム４２と対向して配置される左フレーム４１の内側面（右側面）に形成される接合軸用ボス４１ａ、巻取ボビン支持軸用ボス４１ｂ、供給ボビン支持軸用ボス４１ｄと係合する。左フレーム４１の上下の縁部には、後方に延びるように板バネ４１ｇ１，４１ｇ２が形成される。
【００１６】
左フレーム４１及び右フレーム４２の先端には、それぞれ転写ローラ２１を支持する支持孔４１ｅ，４２ｅが形成される。この両支持孔４１ｅ，４２ｅに転写ローラ２１が回転自在に両端を支持される。先窄まり状に形成されて転写ローラ２１を備える左フレーム４１及び右フレーム４２（転写ユニット本体４０）の先端部は、ヘッド部２０とされる。
【００１７】
巻取ボビン支持軸４２ｂには、巻取ボビンギヤ３３が回転自在に設けられる。図２に主に示すように、巻取ボビンギヤ３３は、円筒状の係合軸３３ａの周囲に係合軸３３ａの軸方向に複数のリブ３３ｂが形成される。係合軸３３ａの基部外周には、ギヤ３３ｃが形成される。ギヤ３３ｃは、係合軸３３ａが突出する反対側に形成される円板状のベース板３３ｄの左側面上に形成される。使用済みの転写テープＴが巻装される巻取ボビン３２の軸穴の内周面（図３参照）には、巻取ボビンギヤ３３のリブ３３ｂと係合するリブ３２ａが形成される。
【００１８】
巻取ボビンギヤ３３の係合軸３３ａには、巻取ボビン支持軸４２ｂが挿入され、係合軸３３ａには巻取ボビン３２が挿入されて、巻取ボビンギヤ３３と巻取ボビン３２は一体に、巻取ボビン支持軸４２ｂ周りに回転する。
【００１９】
巻取ボビン３２の左側面には、ラッチ歯３２ｂが形成される。このラッチ歯３２ｂは、左フレーム４１に板バネ状に形成されるラッチ部４１ｆの先端のラッチ爪と係合可能に形成されて、逆転防止構造が形成される。
【００２０】
中間ギヤ３４は、第１ギヤ３４ａと、第１ギヤ３４ａよりも小径に形成される第２ギヤ３４ｂとが２段に形成されて、右フレーム４２の中間ギヤ支持軸４２ｃに回転自在に支持される。第１ギヤ３４ａは、巻取ボビンギヤ３３のギヤ３３ｃと歯合する。第２ギヤ３４ｂは、後述の供給側ギヤ３５と歯合する。
【００２１】
供給ボビン支持軸４２ｄには、供給側ギヤ３５が回転自在に設けられる。供給側ギヤ３５は、大径に形成されて、左側面の中心部分には環状凹部３５ａが形成される。供給ボビン支持軸４２ｄには、さらにクラッチ軸３６が回転自在に設けられる。クラッチ軸３６は、円筒状の軸３６ａと、軸３６ａの軸方向に沿って形成される複数のリブ３６ｂと、円弧状に形成される３本のバネ部３６ｃが形成される。このバネ部３６ｃは、供給側ギヤ３５の環状凹部３５ａから立ち上がる環状の周壁３５ａ１と先端部が弾発して当接し、クラッチ部３７が形成される。
【００２２】
未使用の転写テープＴが巻装される供給ボビン３１の軸穴の内周面（図３参照）には、軸方向に沿って複数のリブ３１ａが形成される。クラッチ軸３６のリブ３６ｂは、供給ボビン３１のリブ３１ａと係合する。従って、クラッチ軸３６と供給ボビン３１は一体に回転する。供給側ギヤ３５は、クラッチ部３７を介して供給ボビン３１と共に回転する。また、供給ボビン３１の一方（右側）の鍔部外周には、ラチェット歯とされる被係止部３１ｂが形成される。
【００２３】
このようにして、供給ボビン３１と巻取ボビン３２は、クラッチ部３７を介して、供給側ギヤ３５、中間ギヤ３４、巻取ボビンギヤ３３を備える回転連結機構３０により回転連結される。
【００２４】
塗膜転写具１０の使用時には、図２で見て供給ボビン３１の時計回りの送り出し方向の回転により、回転連結機構３０（中間ギヤ３４、巻取ボビンギヤ３３）が回転伝達して、巻取ボビン３２が時計回りの巻取方向に回転する。ここで、回転連結機構３０の各ギヤの歯数や、供給ボビン３１の胴部の径と巻取ボビン３２の胴部の径との関係により、巻取ボビン３２における転写テープＴの巻取量は、常に供給ボビン３１における転写テープＴの送り量よりも多くなるよう設定されている。そして、この送り量と巻取量との差は、適宜バネ部３６ｃの先端部側面と供給側ギヤ３５の環状凹部３５ａの周壁３５ａ１とにより形成されるクラッチ部３７が滑る（作動する）ことで調節される。これにより、転写テープＴには常に適切な張力が掛かり、転写テープＴの弛み等が低減される。
【００２５】
転写ユニット１００は、ケース５に前後動可能に収納される。転写ユニット１００の前後の移動距離は、例えば０．５ｍｍ程度である。転写ユニット１００の前後動は、図２又は図３、及び、図５、図６に示すように、左ケース５１、右ケース５２の内側面に形成されるフレームガイド部５１ａ，５２ａによりガイドされる。フレームガイド部５１ａ，５２ａは、左フレーム４１や右フレーム４２の外形と略同一形状の枠状に形成される。
【００２６】
図５に示すように、左ケース５１の内側面には、後に説明する付勢部材である左フレーム４１の板バネ４１ｇ１，４１ｇ２が収容される板バネ受枠５１ｂ１，５１ｂ２が形成される。板バネ受枠５１ｂ１，５１ｂ２は、それぞれ前後に長い枠状に形成される。板バネ受枠５１ｂ１，５１ｂ２には、前方側に前規制部５１１が形成され、後方側には係合段部５１２が形成される。係合段部５１２から後方には、係合段部５１２と接続する傾斜部５１３が形成される。傾斜部５１３の後端からは、上下方向に立ち上がるように、後規制部５１４が形成される。前規制部５１１の内側面から係合段部５１２の内側面までの長さは、板バネ受枠５１ｂ１，５１ｂ２の長さと略一致して、板バネ受枠５１ｂ１，５１ｂ２の端部と係合段部５１２は当接する。また、係合段部５１２から傾斜部５１３に乗り上がった板バネ４１ｇ１，４１ｇ２の端部は、後規制部５１４が当接する。
【００２７】
一方、図６に示すように、右ケース５２の内側面には、ラチェット爪とされる係止部５２ｂが形成される（図２も参照）。係止部５２ｂは、供給ボビン３１の被係止部３１ｂと対応して設けられる。係止部５２ｂは、転写ユニット１００の後退により供給ボビン３１に形成される被係止部３１ｂとの係止が解除される。その動作は、以下のとおりである。
【００２８】
図５（ａ）では、前規制部５１１と係合段部５１２との間に板バネ４１ｇ１，４１ｇ２が位置する。このとき、板バネ４１ｇ１，４１ｇ２の端部と係合段部５１２とは当接するか、近接離間していても良い。つまり、転写ユニット１００が前進限の時、板バネ４１ｇ１，４１ｇ２により前方に付勢されていても良いが、無負荷とされていても良い。転写ユニット１００が前進限のとき、図５（ａ）と対応する図６（ａ）に示すように、係止部５２ｂは、被係止部３１ｂと係止される。従って、供給ボビン３１の回転は規制される。
【００２９】
塗膜転写具１０の使用時には、ヘッド部２０の転写ローラ２１が被転写面に押し付けられる。すると、図５（ａ）から（ｂ）に移行する過程として、板バネ４１ｇ１，４１ｇ２の端部が係合段部５１２から傾斜部５１３に乗り上がる。このとき、板バネ４１ｇ１，４１ｇ２の端部が係合段部５１２から外れることでクリック感を生じさせることができる。そして、板バネ４１ｇ１，４１ｇ２の端部が傾斜部５１３に乗り上がると、図５（ｂ）に示すように、板バネ４１ｇ１，４１ｇ２は湾曲されて、左フレーム４１（転写ユニット本体４０、転写ユニット１００）を前方に付勢した状態となる。すると、図５（ｂ）に示すように、板バネ４１ｇ１，４１ｇ２の端部は、後規制部５１４と当接して後方への移動（ケース５に対して相対的に後方に移動している）が規制される。
【００３０】
転写ユニット１００が後方の移動限（後退限）まで移動したとき、図５（ｂ）に対応する図６（ｂ）に示すように、係止部５２ｂと被係止部３１ｂとの係止は解除され、供給ボビン３１は回転可能とされる。転写作業を継続する場合には、板バネ４１ｇ１，４１ｇ２の付勢力に抗してヘッド部２０を被転写面に押し付けて行う。このようにして、塗膜転写具１０を使用することができる。
【００３１】
所定長さの転写テープＴの転写層を被転写面に転写した後、ヘッド部２０の転写ローラ２１を被転写面から離すと、板バネ４１ｇ１，４１ｇ２により転写ユニット１００は前方に付勢される。すなわち、ヘッド部２０の転写ローラ２１が被転写面から離れると同時に転写ユニット１００は、図５（ａ）、図６（ａ）の前進限に位置する。従って、ヘッド部２０の転写ローラ２１が被転写面から離れるのとほぼ同時に係止部５２ｂと被係止部３１ｂとが係止して、供給ボビン３１の回転が規制される。
【００３２】
このようにして、ヘッド部２０の転写ローラ２１が被転写面から離れるのとほぼ同時に供給ボビン３１の回転が規制されるので、例えば粘着力が強いテープ糊とされる場合であっても、いわゆる「糸引き」現象が起こることが低減される。すなわち、従来においては、粘着力が強いテープ糊の場合には、ヘッド部２０が被転写面から離れてもヘッド部２０（転写ローラ２１）に存在する転写テープＴの転写層（粘着層）と被転写面に転写された転写層とが糸状に引き合ったときに、巻取ボビン３２が回転しないことにより回転連結機構３０が回転伝達していなくても、クラッチ部３７が作動することにより供給ボビン３１が回転してしまい、未使用の転写テープＴが送り出されて、ヘッド部２０と被転写面との間の糸引きが長くなってしまうことがある。しかしながら、本実施形態における塗膜転写具１０によれば、ヘッド部２０が被転写面から離れると即時に供給ボビン３１の回転がロック（規制）されるので、糸引きが長くなってしまうことが低減される。
【００３３】
そして、粘着力が高い転写テープＴは、例えば手芸用途で布地に対して行われることがあるが、この場合には、布地は滑り易い被転写面であるので、ヘッド部２０は強く押圧される。従って、押すようにしてヘッド部２０を押し付けることができる塗膜転写具１０は、このような用途において好適である。
【００３４】
そして、塗膜転写具１０は、ヘッド部２０を被転写面に押し付けるだけで供給ボビン３１のロックが解除されるので、供給ボビン３１のロックと解除がスムーズに行われて、転写作業もスムーズに行うことができる。
【００３５】
以上、本発明の実施形態を説明したが、本発明は本実施形態によって制限されることは無く、種々の変更を加えて実施することができる。例えば、ヘッド部２０は転写ローラ２１を備えるものとしたが、ヘラ状の転写部を備えるヘッド部としてもよい。また、係止部５２ｂは、右ケース５２の内面に形成したが、右ケース５２に相対的に固定されていればよい。被係止部３１ｂも同様に、供給ボビン３１に形成されていれば鍔部の外周以外に形成しても良い。さらにまた、付勢部材である板バネ４１ｇ１，４１ｇ２は、コイルばね等の他の手段でも良い。しかしながら、本実施形態における係止部５２ｂや被係止部３１ｂ、板バネ４１ｇ１，４１ｇ２により、構造簡単に塗膜転写具１０を形成することができる。
【符号の説明】
【００３６】
５        ケース                    ６        キャップ
６ａ      ヒンジ部                  １０      塗膜転写具
２０      ヘッド部                  ２１      転写ローラ
３０      回転連結機構              ３１      供給ボビン
３１ａ    リブ                      ３１ｂ    被係止部
３２      巻取ボビン                ３２ａ    リブ
３２ｂ    ラッチ歯                  ３３      巻取ボビンギヤ
３３ａ    係合軸                    ３３ｂ    リブ
３３ｃ    ギヤ                      ３３ｄ    ベース板
３４      中間ギヤ                  ３４ａ    第１ギヤ
３４ｂ    第２ギヤ                  ３５      供給側ギヤ
３５ａ    環状凹部                  ３５ａ１  周壁
３６      クラッチ軸                ３６ａ    軸
３６ｂ    リブ                      ３６ｃ    バネ部
３７      クラッチ部                ４０      転写ユニット本体
４１      左フレーム                ４１ａ    接合軸用ボス
４１ｂ    巻取ボビン支持軸用ボス    ４１ｄ    供給ボビン支持軸用ボス
４１ｅ    支持孔                    ４１ｆ    ラッチ部
４１ｇ１  板バネ                    ４１ｇ２  板バネ
４２      右フレーム                ４２ａ    接合軸
４２ｂ    巻取ボビン支持軸          ４２ｃ    中間ギヤ支持軸
４２ｄ    供給ボビン支持軸          ４２ｅ    支持孔
５１      左ケース                  ５１ａ    フレームガイド部
５１ｂ１  板バネ受枠                ５１ｂ２  板バネ受枠
５２      右ケース                  ５２ａ    フレームガイド部
５２ｂ    係止部                    １００    転写ユニット
５１１    前規制部                  ５１２    係合段部
５１３    傾斜部                    ５１４    後規制部
Ｔ        転写テープ
【図１】
2020062849.tif 000003
【図２】
2020062849.tif 000004
【図３】
2020062849.tif 000005
【図４】
2020062849.tif 000006
【図５】
2020062849.tif 000007
【図６】
2020062849.tif 000008